【事件の表示】
　特許第２８１０９３６号「開栓を明らかにするプラスチック蓋装置」の請求項１ないし４、９に係る特許に対する特許異議の申立てについて、次のとおり決定する。
【結　論】
　訂正を認める。
　特許第２８１０９３６号の請求項１ないし４，９に係る特許を維持する。
【理　由】
＜１＞　手続の経緯
　特許第２８１０９３６号に係る発明についての出願は、平成２年１月３０日（パリ条約による優先権主張、１９８９年１月３０日，米国、１９８９年４月２６日，米国、１９９０年１月２３日，米国）に特許出願され、平成１０年８月７日にその発明について特許の設定登録がなされ、その後、その特許について、異議申立人、内山充より特許異議の申立てがなされ、取り消し理由が通知され、その指定期間内である平成１２年１月６日に訂正請求がなされ、訂正拒絶理由が通知され、その指定期間内である平成１２年４月２８日に訂正請求書を補正する手続補正書が提出され、平成１２年５月２２日付で訂正拒絶理由が通知され、その指定期間内である平成１２年１２月１１日付で意見書が提出されたものである。
  　
  ＜２＞　訂正の適否についての判断
  （１）訂正請求書に対する平成１２年４月２８日付補正の内容及びその適否
  （１−１）補正の内容
  (ア)訂正明細書の特許請求の範囲の請求項１の「前記環状の固定リングと前記干渉ビード（３０）との間に位置されているとき、前記柔軟なタブ手段（２８）は前記容器の固定リングと係合でき、上方且つ内方へ向けて角度を有して突出するタブ手段（２８）の先端が接触する前記容器の表面とプラスチックキャップ（１２）の上方への移動方向との間の角度は、タブ手段（２８）の上方への移動に応じて増加する」を、「前記環状の固定リングと前記干渉ビード（３０）との間に位置されている時、前記柔軟なタブ手段（２８）は前記容器の固定リングと係合でき、プラスチックキャップ（１２）の上方への動きに伴って上方且つ内方へ向けて角度を有して突出するタブ手段（２８）の先端が前記容器の固定リングと接触係合する箇所すなわち前記環状の固定リング直下の前記容器の表面から前記固定リングの表面に接触移行する箇所では、前記容器の表面とプラスチックキャップ（１２）の上方への移動方向との間の角度が、タブ手段（２８）の上方への移動に応じて増大するような表面形状を前記容器が有する」と補正するものである。
  （１−２）補正の適否
  　上記(ア)の補正については、訂正個所の表現では、訂正によって特定しようとした構成と異なる構成を意味するものとの誤解を生じかねないため、該誤解を避けるために明瞭化されたものであり、明瞭でない記載を釈明する補正に該当し、上記(ア)の補正は、訂正請求書の要旨を変更するものとは認められず、特許法第１２０条の４第３項において準用する同法第１３１条第２項の規定に適合する。
　（２）補正後の訂正の適否について
　  （２−１）訂正の内容
  　上記(ア)の補正が適法であるから、訂正請求における訂正事項の内容は次のとおりとなる。
  (a)【特許請求の範囲】の【請求項１】における「前記柔軟なタブ手段（２８）が前記環状バンド部（２２）の上方且つ内方へ向けて角度を有して全体的に突出しているとき」を「前記柔軟なタブ手段（２８）が前記環状バンド部（２２）の上方且つ内方へ向けて角度を有して全体的に突出して容器の表面にその先端が接触しているとき」と訂正しようとするもの、
  (b)【特許請求の範囲】の【請求項１】における「且つ前記環状の固定リングと前記干渉ビード（３０）との間に位置されているとき、前記柔軟なタブ手段（２８）は前記容器の固定リングと係合できる、」を「且つ又前記環状の固定リングと前記干渉ビード（３０）との間に位置されている時、前記柔軟なタブ手段（２８）は前記容器の固定リングと係合でき、プラスチックキャップ（１２）の上方への動きに伴って上方且つ内方へ向けて角度を有して突出するタブ手段（２８）の先端が前記容器の固定リングと接触係合する箇所すなわち前記環状の固定リング直下の前記容器の表面から前記固定リングの表面に接触移行する箇所では、前記容器の表面とプラスチックキャップ（１２）の上方への移動方向との間の角度が、タブ手段（２８）の上方への移動に応じて増大するような表面形状を前記容器が有する、」と訂正するものである。
  　（２−２）訂正の目的の適否、新規事項の有無及び拡張・変更の存否
　上記(a)の訂正は、明細書の実施例に記載された技術的事項に基づいて、「柔軟タブと容器の環状固定リングとの間の第１の態様の干渉」について「容器の表面に柔軟タブの先端が接触している」ことを明瞭にしたものであるから、特許請求の範囲の減縮及び明瞭でない記載の釈明を目的とする訂正であり、新規事項の追加に該当せず、実質的に特許請求の範囲を拡張又は変更するものではない。
　上記(b)の訂正は、明細書の実施例に記載された技術的事項に基づいて、「柔軟タブと容器の環状固定リングとの間の第１の態様の干渉から第２の態様の干渉へ移行する箇所」における「容器の表面の形態」について特定したものであるから、特許請求の範囲を減縮する訂正であり、新規事項の追加に該当せず、実質的に特許請求の範囲を拡張又は変更するものではない。
 　（２−３）独立特許要件について
  　（２−３−１）訂正明細書請求項１、２、３、４、９に係る発明について
  　訂正明細書の請求項１、２、３、４、９に係る発明は、平成１２年４月２８日付手続補正書により補正された訂正明細書の請求項１、２、３、４、９に記載された次のとおりのものである。
  「【請求項１】環状の固定リングを備えた容器のための開栓を明らかにするプラスチック蓋装置（１０）であって、
  　頂壁部（１４）および環状の垂下された円筒形スカート部（１６）を有するプラスチックキャップ（１２）と、
  　前記スカート部（１６）から垂下され、少なくとも部分的に脆いリブ手段（２４，１２４）によって分離可能な状態で前記スカート部（１６）に連結された環状の開栓バンド（２０）とを有する装置であり、
  　前記開栓バンド（２０）が、環状バンド部（２２）と、円周方向に間隔を隔てて設けられた内方へ突出する柔軟な複数のタブ手段（２８）と、前記柔軟なタブ手段（２８）よりも下側に配置され、前記環状バンド部（２２）の底縁から内方へ突出された環状の干渉ビード（３０）と、を含んでおり、
  　(1)前記脆いリブ手段（２４，１２４）を破断させるように前記柔軟なタブ手段（２８）が前記環状バンド部（２２）の上方且つ内方へ向けて角度を有して全体的に突出して容器の表面にその先端が接触しているとき、および、
  　(2)前記脆いリブ手段（２４，１２４）を破断させるように前記柔軟なタブ手段（２８）が前記環状バンド（２２）の下方且つ内方へ向けて角度を有して全体的に突出し且つ又前記環状の固定リングと前記干渉ビード（３０）との間に位置されている時、前記柔軟なタブ手段（２８）は前記容器の固定リングと係合でき、プラスチックキャップ（１２）の上方への動きに伴って上方且つ内方へ向けて角度を有して突出するタブ手段（２８）の先端が前記容器の固定リングと接触係合する箇所すなわち前記環状の固定リング直下の前記容器の表面から前記固定リングの表面に接触移行する箇所では、前記容器の表面とプラスチックキャップ（１２）の上方への移動方向との間の角度が、タブ手段（２８）の上方への移動に応じて増大するような表面形状を前記容器が有する、
  開栓を明らかにするプラスチック蓋装置。
  【請求項２】請求項１に記載された開栓を明らかにするプラスチック蓋装置（１０）であって、
  　前記脆いリブ手段（２４，１２４）が前記スカート部（１６）の内面と前記開栓バンド（２０）に於ける環状バンド部（２２）の内面との間を延在する複数の脆いリブ（２４，１２４）を含んでおり、前記開栓バンド（２０）はそれらの脆いリブ（２４，１２４）の内部に部分的に伸長する円周方向に延在された切り込み線（２６）によって前記スカート部（１６）と区別されるとともに、該切り込み線（２６）によって該スカート部（１６）から少なくとも部分的に分離されている、ことを特徴とする開栓を明らかにするプラスチック蓋装置。
  【請求項３】請求項２に記載された開栓を明らかにするプラスチック蓋装置（１０）であって、
  　前記柔軟なタブ手段（２８）の各々が前記脆いリブ（２４，１２４）の半径方向の寸法にほぼ等しい厚さを有している、ことを特徴とする開栓を明らかにするプラスチック蓋装置。
  【請求項４】請求項１に記載された開栓を明らかにするプラスチック蓋装置であって、
  　前記柔軟なタブ手段（２８）の各々が約０．３０４８〜０．５０８ｍｍ（０．０１２〜０．０２０ｉｎ）の範囲の厚さ寸法を有している、
  ことを特徴とする開栓を明らかにするプラスチック蓋装置。
  【請求項９】請求項１に記載された開栓を明らかにするプラスチック蓋装置であって、
  　前記開栓バンド（２０）がその破断可能とされた残余部分（１３５）を形成するように前記干渉ビード（３０）の内部に部分的に伸長された少なくとも１つの垂直方向の切り込み線（１３３）を含んでいる、
  ことを特徴とする開栓を明らかにするプラスチック蓋装置。」
　　（２−３−２）引用文献及びその記載
　これに対して、特開昭６３−２１８０５１号公報（以下「引用文献１」という。）には下記の事項が記載されている。
(a)「第１図に図示されている通り、密閉キャップ１はベース部１１と、内部にねじ溝１３を具備した円筒状の側壁１２とで構成される。開口部用の種々のシール１４がベース部又はベース部と側壁との間の遷移域に配置されている。安全バンド３が、密閉キャップの下縁に配置されかつ所定の破断する部分のウェブ９によってキャップに連結されている。密閉キャップはねじ締め方式である必要はない。スナップシールと称されるものも本発明による安全バンドを具備していてもよい。
　第１図に図示されている通り、内方に突出する舌部６が安全バンドの内壁５に設定された間隔で配列されている。該舌部は、横断面が舌部の外端部に向かってわずかにテーパ状になっておりかつ下方に向かってわずかに傾斜している。このことは、軸方向に開口している工具から舌部を取り外すのを容易にする。下方にテーパ状になっているクリップ７は各舌部６の下部に設定された距離を置いて配列されている。」（第３頁左上欄第１９行〜右上欄第１７行。なお、第１図参照）　
(b)「垂直方向の所定の破断する部分１０が安全バンドに追加して備わっている」（第３頁左下欄第６〜７行）
(c)「該舌部の機能は第３図から６図を参照して下記に詳述されている。第３図は密閉キャップがまずねじ締めされた時の舌部６の位置を示しており、安全バンド３は容器の開口部２の隆起部４に対して矢印Ｃの方向に押し付けられている。この種の容器開口部は、特に新鮮な飲料食品用の場合には標準化されており、従って、常に同じ質量と公差を持っている。安全バンドの内径と舌部の長さは、安全バンドがその円周の拡大を最少限にとどめて、ただし所定の破断する部分のウェブ９を破断せずに該隆起部４を越えて押圧され得るように決定されている。
　該舌部が隆起部４に接触するとすぐに第４図に示す如く舌部は上方に曲げられる。クリップ７は下方に先細となっておりさらにほぼ三日月の形状となっているので、該クリップもまた容易に隆起部４を越えて摺動する。第６図は、密閉キャップを取りはずす場合、力の分力が安全バンドに矢印Ｄの方向に作用した時の舌部の位置を示している。この場合において、該舌部は再び下方に曲げ戻されるがクリップ７により抑制される。該安全バンドは過度に拡張された後は隆起部４を越えて進行することはない。なぜなら、該舌部は容器の底に向けて拘束されるからである。しかしながら、引張り力が増大するにつれて、第６図に図示されているように所定の破断する部分のウェブ９は破断する。」（第３頁右下欄第１行〜第４頁左上欄第７行。なお、第３〜６図参照）
(d)「第５図は密閉キャップが取り付けられた状態での安全バンドを示す図」（第４頁左上欄第１７〜１９行）
　また、特開昭６２−１２２９５６号公報（以下「引用文献２」という。）には下記の事項が記載されている。
(e)「ピルファープルーフ裾部８の内面には係止手段１３が形成されている。図示されている具体例における係止手段１３は周方向に連続して延びる環状突条１３−Ａおよび環状突条１３−Ａの上端より径方向内方に漸次突出するフラップ片１３−Ｂから構成されている。」（第４頁右上欄第１〜６行。なお、第１，２図参照）
(f)「このさいに容器蓋の係止手段１３は弾性的に変位ないし変形して口顎部１６の係止あご部１８を乗り越える。そして、雌螺条１２を雄螺条１７に充分に螺合させると、係止手段１３は係止あご部１８を完全に通過し、弾性的に復元して第４図に示されているごとく係止あご部１８の下方に係合する。」（第４頁右下欄第５行〜第１１行）
(g)「口頚部１６を開封するさいには容器蓋を開方向、すなわち第４図において上方から見て反時計方向に回転させる。このようにすると、容器蓋の雌螺条１２が口頚部１６の雄螺条１７に沿って移動させるために容器蓋は回転とともに上方に移動させられる。しかし、ピルファープルーフ裾部８はその内面に形成されているフラップ片１３−Ｂが第３Ｂ図に示されているごとく、環状突条１３−Ａの上に重なり、事実上環状突条の突出量が増加した形となり、ピルファープルーフ裾部８が係止あご部１８の下面に確実に係合され、上方に移動できない。したがって、弱化ライン６の橋絡部１０に相当な応力が生成され、これによって橋絡部１０が確実に破断される。」（第４頁右下欄第２０行〜左上欄第１３行。なお、第３，４図参照）
　また、特開昭５８−５１１１６号公報（以下「引用文献３」という。）には下記の事項が記載されている。
(h)「閉止装置の一実施例においてはウイング４２の厚さは約０．３０４８ｍｍ（０．０１２インチ）に設計されており」（第７頁右上欄第１９行〜左下欄第１行）
(i)「閉止装置の好適した一実施例においてはリブの深さまたは厚さは約０．３ｍｍ（０．０１４インチ）」（第１２頁右上欄第１８〜１９行）
　　（２−３−３）対比・判断
　訂正明細書の請求項１に記載された発明（以下、本件発明１という）と、引用文献１に記載された発明とを対比する。引用文献１に記載された発明においては、本件発明１における「柔軟なタブ手段」に相当する舌部６は上記記載事項(a)乃至(d)及び第３〜６図の記載から見て、本件発明１における「固定リング」に相当する隆起部４には接触すると認められるが、容器表面に接触するとは認められないから、本件発明１における「柔軟なタブ手段（２８）が前記環状バンド部（２２）の上方且つ内方へ向けて角度を有して全体的に突出して容器の表面にその先端が接触している」構成を有しているとは認められない。また、容器の表面に舌部６が接触移行する領域が存在しないのであるから、「プラスチックキャップ（１２）の上方への動きに伴って上方且つ内方へ向けて角度を有して突出するタブ手段（２８）の先端が前記容器の固定リングと接触係合する箇所すなわち前記環状の固定リング直下の前記容器の表面から前記固定リングの表面に接触移行する箇所では、前記容器の表面とプラスチックキャップ（１２）の上方への移動方向との間の角度が、タブ手段（２８）の上方への移動に応じて増大するような表面形状を前記容器が有する」構成も記載されているとは認められない。
　本件発明１と引用文献２に記載された発明とを対比する。引用文献２に記載された発明においては、上記記載事項(e)乃至(g)の記載及び第４図の記載から見て、本件発明１における「柔軟なタブ手段」に相当する係止手段１３−Ｂは水平方向に延びた状態で容器表面に接触すると認められるが、本件発明１における「柔軟なタブ手段（２８）が前記環状バンド部（２２）の上方且つ内方へ向けて角度を有して全体的に突出して容器の表面にその先端が接触している」構成は記載されていない。また、同じ理由で「プラスチックキャップ（１２）の上方への動きに伴って上方且つ内方へ向けて角度を有して突出するタブ手段（２８）の先端が前記容器の固定リングと接触係合する箇所すなわち前記環状の固定リング直下の前記容器の表面から前記固定リングの表面に接触移行する箇所では、前記容器の表面とプラスチックキャップ（１２）の上方への移動方向との間の角度が、タブ手段（２８）の上方への移動に応じて増大するような表面形状を前記容器が有する」構成も記載されているとは認められない。
　引用文献３に記載された発明においても、上記記載事項(h)(i)からみて上記両構成は記載されていない。
　そして、本件発明１は、上記両構成により、プラップ片の座屈を利用してバンド部分を容器上に保持する力を発生するという格別の効果を奏するのであるから、本件発明１が引用文献１〜３に記載された発明から当業者が容易に発明できたものということはできない。
　また、本件発明１を更に限定する請求項２，３，４，９に係る発明も同様に引用文献１〜３に記載された発明から当業者が容易に発明できたものということはできない。
　したがって、請求項１乃至４、９に係る発明は特許法第２９条第２項の規定に違反して特許されてものでなく、他に拒絶の理由も発見できないから、本件本件訂正は独立特許要件を備えている。
　（２−４）むすび
　上記（２−１）から（２−３）で検討したとおり、補正後の本件訂正は特許請求の範囲の減縮及び明瞭でない記載の釈明を目的とする訂正であり、新規事項の追加に該当せず、実質的に特許請求の範囲を拡張又は変更するものではなく、しかも、独立特許要件を備えている。したがって、上記訂正は、特許法第１２０条の４第２項及び同条第３項で準用する特許法第１２６条第２項乃至第４項の規定に適合する。
　
　＜３＞特許異議の申立てについての判断
　申立人　内山　充は、甲第１号証乃至甲第３号証を提示し、本件請求項１及び９に係る発明の特許は、特許法第２９条第１項第３号の規定に違反してなされたものであり、また、請求項１乃至４及び９に係る発明の特許は、特許法第２９条第２項の規定に違反してなされたものであるから取り消すべき旨主張している。
　しかしながら、甲第１号証乃至甲第３号証は、上記（２−３−２）における引用文献１乃至引用文献３に対応するものであり、上記（２−３）で検討したとおり、訂正後の本件請求項１乃至４、９に係る発明は甲第１号証記載の発明と同一と認められず、また、甲第１号証乃至甲第３号証記載の発明から当業者が容易に発明できたものとは認められない。
　したがって、本件請求項１乃至４、９に係る発明の特許は、特許異議申立ての理由及び証拠によっては取り消すことはできない。
　また、他に本件請求項１乃至４、９に係る発明の特許を取り消すべき理由を発見しない。
　よって、結論のとおり決定する。
【異議決定日】
平成１３年１月１９日（２００１．１．１９）
【訂正の要旨】
１．【特許請求の範囲】の【請求項１】における「前記柔軟なタブ手段（２８）が前記環状バンド部（２２）の上方且つ内方へ向けて角度を有して全体的に突出しているとき」を「前記柔軟なタブ手段（２８）が前記環状バンド部（２２）の上方且つ内方へ向けて角度を有して全体的に突出して容器の表面にその先端が接触しているとき」と訂正する。
２．【特許請求の範囲】の【請求項１】において「且つ前記環状の固定リングと前記干渉ビード（３０）との間に位置されているとき、前記柔軟なタブ手段（２８）は前記容器の固定リングと係合できる、」を「且つ又前記環状の固定リングと前記干渉ビード（３０）との間に位置されている時、前記柔軟なタブ手段（２８）は前記容器の固定リングと係合でき、プラスチックキャップ（１２）の上方への動きに伴って上方且つ内方へ向けて角度を有して突出するタブ手段（２８）の先端が前記容器の固定リングと接触係合する箇所すなわち前記環状の固定リング直下の前記容器の表面から前記固定リングの表面に接触移行する箇所では、前記容器の表面とプラスチックキャップ（１２）の上方への移動方向との間の角度が、タブ手段（２８）の上方への移動に応じて増大するような表面形状を前記容器が有する」と訂正する。
（５４）【発明の名称】
開栓を明らかにするプラスチック蓋装置
（５７）【特許請求の範囲】
　（１）環状の固定リングを備えた容器のための開栓を明らかにするプラスチック蓋装置（１０）であって、
　頂壁部（１４）および環状の垂下された円筒形スカート部（１６）を有するプラスチックキャップ（１２）と、
　前記スカート部（１６）から垂下され、少なくとも部分的に脆いリブ手段（２４，１２４）によって分離可能な状態で前記スカート部（１６）に連結された環状の開栓バンド（２０）とを有する装置であり、
　前記開栓バンド（２０）が、環状バンド部（２２）と、円周方向に間隔を隔てて設けられた内方へ突出する柔軟な複数のタブ手段（２８）と、前記柔軟なタブ手段（２８）よりも下側に配置され、前記環状バンド部（２２）の底縁から内方へ突出された環状の干渉ビード（３０）と、を含んでおり、
　（１）前記脆いリブ手段（２４，１２４）を破断させるように前記柔軟なタブ手段（２８）が前記環状バンド部（２２）の上方且つ内方へ向けて角度を有して全体的に突出し
て容器の表面にその先端が接触し
時
プラスチックキャップ（１２）の上方への動きに伴って
前記容器の固定リングと接触係合する箇所すなわち前記環状の固定リング直下の前記容器の表面から前記固定リングの表面に接触移行する箇所では、
が
増大するような表面形状を前記容器が有する、
開栓を明らかにするプラスチック蓋装置。
　（２）請求項１に記載された開栓を明らかにするプラスチック蓋装置（１０）であって、
　前記脆いリブ手段（２４，１２４）が前記スカート部（１６）の内面と前記開栓バンド（２０）に於ける環状バンド部（２２）の内面との間を延在する複数の脆いリブ（２４，１２４）を含んでおり、前記開栓バンド（２０）はそれらの脆いリブ（２４，１２４）の内部に部分的に伸長する円周方向に延在された切り込み線（２６）によって前記スカート部（１６）と区別されるとともに、該切り込み線（２６）によって該スカート部（１６）から少なくとも部分的に分離されている、ことを特徴とする開栓を明らかにするプラスチック蓋装置。
　（３）請求項２に記載された開栓を明らかにするプラスチック蓋装置（１０）であって、
　前記柔軟なタブ手段（２８）の各々が前記脆いリブ（２４，１２４）の半径方向の寸法にほぼ等しい厚さを有している、ことを特徴とする開栓を明らかにするプラスチック蓋装置。
　（４）請求項１に記載された開栓を明らかにするプラスチック蓋装置であって、
　前記柔軟なタブ手段（２８）の各々が約０．３０４８〜０．５０８ｍｍ（０．０１２〜０．０２０ｉｎ）の範囲の厚さ寸法を有している、
　ことを特徴とする開栓を明らかにするプラスチック蓋装置。
　（５）請求項１に記載された開栓を明らかにするプラスチック蓋装置であって、
　容器の上で蓋装置（１０）を芯出しするために前記容器固定リングと係合可能な芯出し手段（１２４）、
　を含むことを特徴とする開栓を明らかにするプラスチック蓋装置。
　（６）請求項５に記載された開栓を明らかにするプラスチック蓋装置であって、
　前記脆いリブ手段（１２４）が前記スカート部（１６）の内面と前記開栓バンド（２０）に於ける環状バンド部（２２）の内面との間を延在する複数の円周方向に間隔を隔てて配置された脆いリブ（１２４）を含んでおり、前記芯出し手段（１２４）が隣接する前記柔軟なタブ手段（２８）の間を延在する少なくとも幾つかの前記脆いリブ（１２４）の部分を含んでなる、ことを特徴とする開栓を明らかにするプラスチック蓋装置。
　（７）請求項２に記載された開栓を明らかにするプラスチック蓋装置（１０）であって、
　前記円周方向に延在された切り込み線（２６）を形成するに際して前記蓋装置（１０）の内側を支持するために該蓋部材（１０）の内側を回って円周方向に延在された切り込み線ビード手段（１２７）、
　を含むことを特徴とする開栓を明らかにするプラスチック蓋装置。
　（８）請求項２に記載された開栓を明らかにするプラスチック蓋装置（１０）であって、
　前記脆いリブ（１２４）に初期応力を付与するためのプレストレス付与手段（１３１）であって、前記開栓バンド（２０）の内側に形成された複数の円周方向に間隔を隔てて配置されたプレストレス付与突起（１３１）を含み、これらのプレストレス付与突起（１３１）の各々は前記脆いリブ（１２４）の各々に対応して設けられていて、これらのプレストレス付与突起（１３１）は前記脆いリブ（１２４）にプレストレスを付与するために前記容器固定リングと係合可能とされている前記プレストレス付与手段（１３１）、
　を含むことを特徴とする開栓を明らかにするプラスチック蓋装置。
　（９）請求項１に記載された開栓を明らかにするプラスチック蓋装置であって、
　前記開栓バンド（２０）がその破断可能とされた残余部分（１３５）を形成するように前記干渉ビード（３０）の内部に部分的に伸長された少なくとも１つの垂直方向の切り込み線（１３３）を含んでいる、
　ことを特徴とする開栓を明らかにするプラスチック蓋装置。
【発明の詳細な説明】
産業上の利用分野
　本発明は開栓を明らかにする、即ち、開栓されたことを明白にするためのパッケージング構造に係わり、更に詳しくは、開栓防止性能を高めるために容器に対して２つの態様の干渉を生じるように機能するような開栓を明らかにするプラスチック蓋装置に関する。
従来技術、および発明が解決しようとする課題
　開栓を明らかにする、即ち、開栓されたことを明白にするための蓋装置を容器に装備し、これによって蓋装置を部分的にもしくは完全に取り外したことで生じる変化を目で明らかに認めることができるようになすことは、あらゆる消耗品にとって是非望まれるところである。典型的にはこのような蓋装置は、上部のキャップ部と、その蓋装置が取付けられる容器と干渉し且つ協働するように配置された垂下した開栓（ｐｉｌｆｅｒ）バンドとを含んで構成される。開栓バンドは、蓋装置を取り外すことによってその蓋装置から破断され、および／又は分離されて、これによりその容器が部分的もしくは完全に開封されたことを明白に認知させることができるようになすような形状に典型的に形成されている。
　認識されるように、開栓を明らかにするプラスチック蓋装置は、目で識別できるような形跡を残さないで行われる開栓を可能な限り防止できることが望まれる。このために本発明のプラスチック蓋装置は、既存の容器に使用できるように経済的且つ効果的に製造できる特定の形状として作られてきたのであり、開栓に対する防止効果を有し、性能が一貫しているとともに信頼性が高く、しかも広く様々な異質の容器に使用できる高い多様性を有しているのである。
課題を達成するための手段
　本発明は典型的には、容器の首部に形成されているねじ部の下側に隣接配置された環状の固定リングを有する容器のための開栓を明らかにするプラスチック蓋装置に関している。開栓を明らかにすることのために、この蓋装置は複数の内方へ突出した柔軟なタブを有する開栓バンドを含んでいる。この開栓バンドは、これらの柔軟なタブの下側に配置された協働する干渉ビードを更に含んでいる。特に、この開栓バンドは開栓を明らかにすることのために容器固定リングと干渉作用する２つの態様を与えるように機能するのである。
　本発明によれば、本発明による開栓を明らかにするプラスチック蓋装置は、円形の頂壁部および環状の垂下する円筒形スカート部を有するプラスチックキャップを含む。図示実施例に於いては、このスカート部は内ねじ部を有していて、蓋装置を容器に取付けた後にその蓋装置が容器上に保持されるようになすために、前記内ねじ部は関連する容器の首部に形成されている組み合うねじ部と協働するようになされる。
　本発明の蓋装置は更に、蓋装置のキャップに於けるスカート部から垂下された環状の一体形成された開栓バンドを含む。この開栓バンドは複数の円周方向に間隔を隔てて配置された脆いリブによってキャップのスカート部に対して少なくとも部分的に分離可能に連結されている。図示実施例に於いては、これらの脆いリブはスカート部の内面と開栓バンドの内面との間を延在する。これ以外の部分では、スカート部および開栓バンドは脆いリブの内部に部分的に伸長した円周方向の切り込み線によって互いに区別され且つ分離されているのである。
　開栓バンドは、環状のバンド部と、複数の円周方向に間隔を隔てて配置された内方へ向かって突出する柔軟タブとを含んでおり、柔軟タブは環状バンド部の内方を延在している。特に、この開栓バンドは更に、環状バンド部の内方を全体的に延在する環状の干渉ビードを含んでいる。この干渉ビードは内方へ向けて突出する柔軟タブの下側に配置されている。
　このような構造により、開栓を明らかにすることに関して、２つの態様の干渉作用が柔軟タブと容器の環状固定リングとの間に与えられる。容器に対してこのような蓋装置を取付ける間、開栓バンドが容器のねじ部並びに固定リングを越えて下方へ移動される際にそれらの柔軟タブは上方へ向けて逸脱した位置へと曲げられる。蓋装置が容器に対して完全に取付けられると、これらの柔軟タブは容器固定リングを超えて移動され、更に、それらが弾性的であることから、記憶しているように内方へ向かって突出して、これにより環状バンド部に対して全体的に上方且つ内方へ向けて角度を有して突出した状態を確立する。柔軟タブがこのように配置されるので、柔軟タブは容器固定リングの全体的に下方へ向かう面と干渉係合するように位置決めされる。これにより、この第１の態様の干渉に於いては、柔軟タブの自由端部が固定リングと係合して、開栓バンドを蓋装置に於けるキャップのスカート部に対して分離可能に少なくとも部分的に連結している脆いリブを破断させるようにするのである。このようにして目による明確な認知が可能にされるのである。
　干渉作用の第２の態様に於いては、柔軟タブは開栓バンドの干渉ビードと協働且つ相互作用を行い、再び容器固定リングと干渉係合且つ相互作用を行うようになす。この作動態様に於いては、柔軟タブが開栓バンドに於ける環状バンド部に対して角度を有して下方且つ内方へ向けて突出する状態を確立しているとき、柔軟タブは容器固定リングと係合可能とされる。このような配向状態に於いては、柔軟タブは容器固定リングと環状干渉ビードとの間に配置されることによって固定リングと係合可能とされる。これらの柔軟タブおよび干渉ビードは容器固定リングに対して寸法決めされて蓋装置の開栓動作に抗するようになされ、これにより開栓バンドをスカート部に対して連結している脆いリブを破断するようになすのである。再び述べるが、これにより明確な開封即ち開栓の目による認知が達成されるのである。
　本発明の蓋装置の他の図示実施例によれば、切り込み線ビードが備えられる。この切り込み線ビードは蓋装置の内面に円周方向に延在されており、又、開栓バンドを蓋装置のスカート部から区別させる円周方向の切り込み線を形成している間に蓋装置の内側を支持するために望ましく作用する。更に、この構造に於ける少なくとも幾つかの脆いリブは、隣接し合った柔軟タブの間に於いて開栓バンドの内面を延在するように形成できる。このようなリブは組み付けられる容器上でその固定リングに対して開栓バンドを芯出しするように望ましく機能するのであり、これにより開栓に抗する作用が更に高められるのである。望まれるならば複数の円周方向に間隔を隔てて配置されたプレストレス（初期応力）付与突起を開栓バンドの内面に備えることができる。これらのプレストレス付与突起は容器固定リングと係合して、開栓バンドを蓋装置に於けるスカート部に対して連結している脆いリブにプレストレスを付与することができる。このようにプレストレスを付与する構造は、意図されたときに脆いリブの破断を望ましく促進することができる。
　本発明の多くのその他の特徴並びに利点は、以下の詳細な説明、添付図面および特許請求の範囲の欄の記載から容易に明白となるであろう。
実施例
　本発明は様々な形態の実施例が考えられるが、今のところ好ましいと考えられている実施例を図面に示し且つ以下に説明する。この開示は本発明の例示として考えられるべきものであり、本発明を図示した特定の実施例に限定することを意図しているものではない。
　第１図を参照すれば、そこには本発明の基本を具現しているプラスチック蓋装置１０が示されている。この蓋装置１０は各種の射出モールド成形および圧縮モールド成形の技術によって形成することができる。又、蓋装置１０は米国特許明細書第４，４９７，７６５号に教示されている圧縮モールド成形技術によって形成することができ、その技術は参照することでここに導入される。
　図示されているように、蓋装置１０は上部の大体カップ形状の蓋キャップ１２を含んでいる。この蓋キャップ１２は、円形の頂壁部１４および垂下された環状の円筒形スカート部１６を含んでいる。スカート部１６は内ねじ部１８を備えていて、この内ねじ部１８はその蓋装置が取付けられる関連する容器Ｃのねじ部Ｔと協働するように係合されるものであるのが好ましい。望まれるこのプラスチック蓋装置は組み合わされたシールライナー、例えば上述した参照特許に図示されているようなシールライナー、を備えることができる。
　本発明の蓋装置は更に、蓋キャップのスカート部１６から垂下され且つ該スカート部に対して分離できるように少なくとも部分的に連結されている環状の開栓バンド２０を含んでいる。開栓バンド２０はスカート部１６と実質的に垂直方向に整合されて配置された連続する環状バンド部２２を含んでいるのが好ましい。好ましい実施例に於いては、開栓バンドは複数の円周方向に間隔を隔てて配置された脆いリブ２４によって分離可能に少なくとも部分的にスカート部に対して連結される。これらの脆いリブ２４はスカート部１６の内面と開栓バンドに於けるバンド部２２の内面との間を延在される。図示されているように、開栓バンド２０はこれ以外の部分で円周方向に延在された切り込み線２６によってスカート部１６と区別され且つ分離されている。
　参照することで個々に導入された米国特許明細書第４，４１８，８２８号の教示によれば、切り込み線２６および脆いリブ２４は互いに協働して、開栓バンド２０と蓋キャップ１２との間に望まれる脆い連結を確立する。特に、蓋キャップ１２および開栓バンド２０はモールド成形の間に互いに一体として形成されるのであり、リブ２４がスカート部の内面および開栓バンドの内面にモールド成形される。しかる後切り込み線２６が形成される。これは切り込み線切削切刃を使用して形成されるのが好ましい。このようにして、リブ２４の内部に部分的に伸長された切り込み線２６によって開線バンド２０をスカート部１６から区別し且つ分離することができるようになる。
　このような構造により、脆いリブ２４に於ける切り込み線を形成されていない「残余」部分が協働して開栓バンドとスカート部との間に脆い連結部を形成しているのである。望まれるならば、１つの一体的な連結部を開栓バンドとスカート部との間に形成して（例えば切り込み線２６によって切り込まれていない蓋の部分を残すことで形成される）、これにより開栓バンドがリブの破断後もスカート部１６に連結されたまま残されるようにできる。このような連結部分に関連して、１つ又はそれ以上の数の破断可能面積部分を開栓バンドそのものに形成し、これによって組み合わされた容器から蓋を取り外す際に開栓バンドが引き裂かれて破断されるようになすことができる。
　開栓バンド２０の形状を参照すれば、本発明の蓋装置は非常に高度の開栓に抗する作用を生じるように特に形状を定められており、又、特に組み合う容器との干渉作用に２つの別個の分離態様を与えているのである。このために、開栓バンドは複数の円周方向に間隔を隔てられた内方へ向けて突出した柔軟タブ２８を含んでいる。これらの柔軟タブ２８は開栓バンドに於ける環状バンド部２２から内方へ向けて突出している。現在の実施例に於いては、１２個の等しい間隔を隔てられたタブ２８が開栓バンドの円周回りに備えられている。各々のタブは約０．６０９６ｍｍ（０．０２４ｉｎ）の幅と約０．３０４８〜０．５０８ｍｍ（０．０１２〜０．０２０ｉｎ）の範囲の幅とを有している。この構成によれば、隣接し合うタブ２８の自由端部はそれらのタブが水平方向内方へ向かって突出するときに密接に接近した間隔（約０．５０８ｍｍ（０．０２０ｉｎ）の間隔）となる。タブがこのように水平方向内方へ向けて突出した配向は点線で示されており、柔軟タブ２８をモールド成形する際の好ましい配向状態を表している。
　更に説明するが、これらの柔軟タブ２８は容器Ｃの環状固定リング部分Ｌと協働してリブ２４の破断を生じるようにするのであり、これにより望まして開栓を明らかにする機能が与えられるのである。第１の態様の干渉および破断に於いては、柔軟タブの自由端部は固定リングＬと係合可能とされる。第２の態様の破断に於いては、柔軟タブは開栓バンド２０に於ける環状バンド部２２のほぼ底縁に備えられている環状の干渉ビード３０と協働するように形状を定められている。このために、干渉ビード３０は柔軟タブ２８の下側に位置されている。干渉ビードの上部の内方へ向かう縁部は柔軟タブに対して位置決めされており、この縁部は第２の破断態様に於いてタブと係合されるようになされている。好ましい形状に於いては、干渉ビードの内径は円周方向に間隔を隔てて配置された脆いリブ２４の内面が協働して形成する内径とほぼ等しいか、それより若干小さくされる。
　第３図を参照して、本発明の蓋装置の機能が説明される。この蓋装置１０を関連する容器に取付けるに際して、柔軟タブ２８が容器Ｃに係合され、開栓バンドが容器のねじ部Ｔ並びに容器固定リングＬに対して下方へ移動する際に柔軟タブ２８は上方へ向けて延在する逸脱位置へ向けて全体的に上方へと移動される。このために、柔軟タブ２８は脆いリブ２４の半径方向の寸法にほぼ等しい厚さとされるか、或いはリブ２４が集合して形成する内径にほぼ等しい寸法を集合して形成するようなその他の形状とされる。
　蓋装置が容器に対して完全に取付けられたならば、柔軟タブ２８は容器固定リングＬを越えて移動し、しかる後にプラスチックの弾性的な記憶特性によって第４図に示すような角度を有して上方且つ内方へ全体的に突出する状態を確立するのである。柔軟タブ２８はこの時点で容器固定リングと協働する第１の干渉作用且つ破断を行う位置となされる。特に、蓋部材が螺合解除されて容器に対して上方へ移動すると、全体的に上方且つ内方へ突出した柔軟タブ２８は容器固定リングＬ内に突き当てるように押し付けられることになる。容器固定リングとのこのような干渉係合は蓋装置の上方へ向かう螺合解除に抗するように作用し、これによって柔軟リブ２４に応力が発生されて破断されるのである。リブ２４が破断されると、開栓バンド２０がスカート部１６から分離されたことが明確に目で認知でき、これにより容器の開栓されたことが明確に指摘されることになるのである。
　現在の実施例に於いては、柔軟タブ２８の各々は大体平面的な形状をしており、０．３０４８〜０．５０８ｍｍ（０．０１２〜０．０２０ｉｎ）の範囲の厚さ寸法を有している。しかしながら明らかとなるように、柔軟タブ２８の各々はその自由端部からバンド部２２と接合される基部へ向かって十分な厚さを有するようになされ、押し潰れや変形に対する耐力を高めて固定リングしとの所望される干渉作用を生じるようになされているのが好ましい。このために、タブ２８の各々は各タブの長さ部分に直角な横断面にて見た場合に僅かに湾曲された非平面的な形状とされるか、同様に見て全体的に傾いたもしくは合成された形状に形成されることができる。認識されるように、このような構成は各々の柔軟タブの「長手方向の強度」を増大し、固定リングしとの所望される干渉係合を行なえるように作用するのである。
　本発明によれば、柔軟タブ２８は干渉ビード３０と協働して、容器固定リングＬとの第２の別の干渉係合態様を生じるような形状とされている。柔軟タブ２８が角度を有して上方且つ内方へ向かう状態から移動される場合（これは内方へ突出するビード３０によって禁止されるのが好ましいことであるが、例えば誤った操作によって引き起こされる）、柔軟タブは第５図に示されているように角度を有して下方且つ内方へ向けて突出する状態を確立する。タブがこのように配合された場合、それらのタブは容器固定リングＬと干渉ビード３０の上部の内方端縁との間に位置されることによって容器固定リングＬとの係合を生じるように位置付けられるのである。このようにして、これらのタブは干渉ビードと協働して互いに作用して、容器固定リングとの干渉相互作用を再び生じ、これによりスカート部１６から開栓バンド２０を少なくとも部分的に分離させるように脆いリブ２４を破断するようになる。この作用は第６ａ図および第６ｂ図に示されている。第６ａ図では柔軟タブ２８は固定リングＬと干渉ビード３０との間に示されており、第６ｂ図は引き続いて生じる脆いリブ２４の破断および切り込み線２６に沿った分離を示している。
　第７図を参照すれば、本発明による開栓を明らかにする蓋装置の他の実施例が示されている。多くの部分に関してこの実施例は先に説明した実施例と同じである。しかし、第７図に示された蓋装置は頂壁部１４に接近させてシールライナー１５が備えられており、抽気溝１７が内ねじ部１８を横切って延在されており、この抽気溝１７は蓋装置の円筒形スカート部１６の内部迄延在されていることが注目される。１つ又はそれ以上の数の吸気溝１７を備えることは、本発明の蓋装置が炭酸含有の内容物等を有する容器に関連して使用された場合、蓋装置を取り外す際にガス圧の解放を容易にする。
　先に説明した実施例の場合と同様に、蓋装置１０は開栓バンド２０を含んでいる。この開栓バンド２０は円周方向に延在された切り込み線２６によってスカート部１６から区別され且つスカート部から少なくとも部分的に分離されている。更に、この開栓バンド２０は複数の（現在の所１２個が好ましいとされている）円周方向に間隔を隔てて配置された内方へ向けて突出する柔軟タブ２８を有しており、これも又組み合わされる容器の固定リングとの２重即ち２つの干渉態様を生じるように形状を定められている。このために、内方へ突出する干渉ビード３０が柔軟タブ２８の下側に配置されており、組み合わされる容器との第２の態様の蓋装置の相互作用に於いてタブ２８が干渉ビード３０と係合されるようになっている。
　この実施例に於いては、開栓バンド２０とスカート部１６との間の脆い連結は複数の円周方向に間隔を隔てて配置された脆いリブ１２４によって形成されている。この脆いリブ１２４はスカート部の内面と開栓バンドの内面との間を延在している。重要なこととして、少なくとも幾つかの脆いリブ１２４は隣接し合った柔軟タブ２８の間で開栓バンド２０に於けるバンド部２２の内面に沿って延在される。図示実施例に於いては、図示した脆いリブ１２４の各々はそのような形状とされている。
　脆いリブ１２４のこの形状は組み合わされた容器Ｃに於いて開栓バンド２０を容器固定リングＬに対して芯出しするような好ましい作用を生じる。脆いリブ１２４がこのような形状とされていることにより、蓋装置１０が組み合わされる容器に完全に取付けられたときに、非常に僅かに制限された間隙が容器固定リングＬと脆いリブ１２４の内方へ向かう面との間に与えられることになる。これは開栓されることに対する抗力を増大するように好ましい作用する。何故ならば、脆いリブ１２４がこのように作用して、丸められた状態から逸脱した状態に開栓バンド２０が変形するのを防止するからであり、これにより脆いリブ１２４を破断しないで組み合わされた容器から開栓バンドを取り外すことを実質的に不可能にするからである。先に説明した脆いリブ２４と同様に、リブ１２４は少なくとも或る量だけリブの内部に部分的に伸長された切り込み線２６によって破断されるようになされる。
　第７図の実施例に於いては、切り込み線２６を効率的且つ正確に容易に形成できるようにするための手段が備えられている。特に、この実施例は蓋装置の内面を円周方向に延在する切り込み線ビード１２７を含んでいる。この切り込み線ビード１２７は蓋装置の内側に沿って連続して延在されているのが好ましい。円周方向の切り込み線２６はこの切り込み線ビードの下側に位置決めされる。
　本発明の蓋装置の切り込み線の加工に際して、蓋装置の中に挿入される切り込み線加工マンドレルの使用が好ましい。切り込み線加工ナイフ等がしかる後に蓋装置の表面に対して当てがわれる。高速加工を行うために、切り込み線加工ナイフは内側に配置された切り込み線加工マンドレルを基準とすることが現在のところ好ましいとされている。
　従って、切り込み線の加工に際して過度の変形や偏倚を生じないように切り込み線加工マンドレル上の実質的に固定された位置に蓋装置を位置決めすることが望ましい。この他の方法では不正確な切り込み線が加工されてしまうことになる。
　このようにして、切り込み線ビード１２７は切り込み線加工マンドレルと安全に係合して着座する形状とされる。これにより、脆いリブ１２４に所望の程度の部分的な切除が行われた状態で切り込み線２６の高度に効果的且つ正確な加工が容易に達成されるのである。
　先に説明した実施例と同様に、柔軟タブ２８は脆いリブ１２４の半径方向の寸法にほぼ等しい厚さを有して形成されるのが好ましい。この好ましいとされる寸法関係は、タブ２８が切り込み線ビード１２７の無い状態で切り込み線加工を行う際に、蓋装置の内側を望まれるように支持することができるようにするのである（タブ２８は蓋装置の内面に対して上方へ向かって柔軟に突き当たる）。
　有効且つ正確な切り込み線の加工は、隣接し合うタブ１２８の間に脆いリブ１２４を配置することによって更に容易となる。このような構成によれば、タブ１２８の１つが隣接する脆いリブ１２４と重なる可能性（例えばモールド成形装置から取り出す際に柔軟タブが変形したり延びることによって生じる）が排除される。更に、この延在された脆いリブ１２４の形状は、切り込み線２６が開栓バンド２０の底縁に比較的接近して位置付けられることを可能にする。このことは本発明による蓋装置の抜取り防止機能を望ましく高めるのである。何故ならば、全ての適正でない操作や開栓は脆いリブ１２４の１つ又はそれ以上の数を破壊することになる可能性が一層高まるからである。
　第７図の実施例の更に他の特徴は、各々の脆いリブ１２４に上部１２５を形成することに関する。この上部１２５は切り込み線ビード１２７より上方のスカート部１６の内面に沿って延在される。脆いリブのこの形状は蓋装置全体の長手方向の強度を望ましく高めることが見出されている。このことは、組み合わされるモールド成形装置からの高速射出を容易にする。
　第８図を参照すれば、本発明の蓋装置の更に他の実施例が示されている。殆どの部分でこの実施例は上述した第７図に示した実施例と似ている。しかし、第８図の実施例は切り込み線ビード１２７を備えていない。この切り込み線ビードを備えていないことは、脆いリブ１２４（上部１２５を有している）の延長された形状とともに、蓋装置のガス抽気性能を高めることができる。
　第８図の実施例の２つの追加された特徴は注目されねばならない。先ず最初に、本発明による開栓を明らかにする蓋装置のこの実施例は開栓バンド２０とスカート部１６との間の脆いリブ１２４で形成された脆い連結部に対してプレストレスを（初期応力）付加するような構造を含んでいる。特に、複数の円周方向に間隔を隔てて配置されたプレストレス突起１３１が開栓バンド２０に於けるバンド部２２の内面に備えている。図示実施例では、又、好ましい形状として、これらのプレストレス付与突起１３１は脆いリブ１２４の対応する１つに対してそれぞれ配置されている。図示実施例では、これらのプレストレス付与突起１３１は脆いリブ１２４の１つ置きに備えられているが、これより少ない数もしくは多い数の突起１３１を同様に備えることができる。
　突起１３１は蓋装置の取付け並びに取り外しの何れの場合に対しても脆いリブ１２４にプレストレスを付与するように備えられることができる。組み合わされる容器に対して蓋装置を取付ける間、これらの突起１３１は容器固定リングＬと係合し、これによりその取付けに伴って開栓バンド２０を拡げて「釣り鐘形」となすように作用することができる。この作用は脆いリブ１２４の各々に於ける切り込み線の形成されていない残余部を弱化させる作用を果たし、これにより蓋装置の取り外しに際しての意図されたような脆いリブの破断を容易に引き起こすようになす。
　更に、プレストレス付与突起１３１は蓋装置の取り外しに際して固定リングと協働する。特にこれは、タブ２８が角度を有して下方へ突出されて容器固定リングＬと干渉ビード３０との間に位置されたときにリブ１２４に応力を作用させてこれを破断させるように生じるのである。この作用に伴って、突起１３１は容器固定リングと更に干渉を引き起こして、これにより脆いリブ１２４に更に応力を付加してそのリブの破断および破壊を確実なものとする。
　第８図の実施例の更に他の特徴はバンド部２２の破断を行わせる開栓バンド２０の形状に関する。これは上述したように、リブ１２４が破断された後に開栓バンドがスカート部１６に対して一体的に連結されているような切り込み線の形成されていない連結部を形成することに関連して通常望まれる。しかしこのような構造によれば、開栓バンドはスカート部１６から部分的に分離されたとしても連結されたままで残される。
　このために、第８図は垂直な切り込み線が開栓バンド２０に好ましく形成されることを示している。特に、外部の切り込み線加工ナイフは点線で符号１３３で示されるような深さに迄伸長した１つもしくはそれ以上の数の切り込み線を形成するように開栓バンドに対して当がわれることが好ましい。このような垂直の切り込み線は１つの柔軟タブ２８と隣接された脆いリブ１２４との間にて、タブ２８およびリブ１２４の何れの内部にも伸長しないように形成される。
　顕著なこととして、この垂直な切り込み線は部分的で完全な長さとされずに干渉ビード３０の内部へ伸長され、これによって開栓バンドの破断可能とされた残余部分１３５を形成するようになされる。この構成は開栓バンドに望ましい程度を保ち、高速取付けを可能にするとともに、開栓バンドの破断が意図されたように行われるようになす。
　従って、開栓に抗する高度の性能が本発明の蓋装置によって備わるのである。認識されるように、図示実施例から様々な変更や拡がりが行なえる。例えば、柔軟タブ２８の個数、間隔、厚さおよび形状は変化させることができ、ここに開示した基本を維持しつつ選択されることができるのである。同様に、環状の干渉ビード３０は実質的に連続して形成され、蓋装置に更に円周方向のフープ強度を追加するようになされることができ、或いは、分割され又はその他の分断形状とされて環状ビードを交互に使用するようになされることができる。更に、本発明は一体部片とされた全てがプラスチックの蓋装置として図示されてきたが、本発明に基づく蓋装置は金属およびプラスチックの合成された蓋装置のような複合構造とされることができる（別個のシールライナーが備え付られたり省略される場合がある）。
　第９図〜第１１図を参照すれば、開栓を明らかにするプラスチック蓋装置１０の更に他の実施例が示されている。先に説明した実施例によれば、このプラスチック蓋装置１０はカップ状の蓋キャップ１２を含み、この蓋キャップ１２は円形の頂壁部１４および垂下する環状の円筒形スカート部１６を含んでいる。このスカート部１６には内ねじ部１８が備えられている。第９図に示されるように、蓋装置１０は外部のビード状の固定リングＬを有する容器Ｃに取付けられるように意図されている。この固定リングＬは容器の垂直軸線に対して直角に容器の首部の回りに円周方向に延在されているものである。固定リングＬは容器の外ねじ部Ｔの直ぐ下側に位置決めされており、この容器Ｃは握り部分即ちハンドルＨを備えている。
　この実施例に於いては、蓋装置は環状の開栓バンド２０を備えており、この開栓バンドはスカート部１６から垂下されている。この開栓バンド２０はスカート部１６に対して複数の円周方向に間隔を隔てて配置された破断可能なブリッジ２４によって分離可能に少なくとも部分的に連結されている。この破断可能なブリッジは米国特許明細書第４，４１８，８２８号に開示されているように開栓バンドの内面およびスカート部の内面に大体沿って交互に備えられている。
　開栓バンド２０は環状のビード状の干渉リップ３０を含んでおり、この干渉リップ３０は蓋装置１０の内面に沿って円周方向に延在されている。顕著なこととして、この干渉リップ３０は蓋装置１０の垂直軸線に対して直角に延在せず、蓋装置の垂直軸線に対して鋭角で配置された平面内を延在している。好ましい形状として、この平面は蓋装置の軸線に対して約１°〜約５°の範囲の角度の鋭角に配置されている。この干渉リップは図示したように開栓バンド２０の内面に沿って円周方向に連続的に延在しているが、このリップ３０はこれ以外に一連の分断部分、ラグその他の突起として備えることによって内面に沿って不連続状態で延在されるように形成されることもできることが認識されねばならない。干渉リップ３０は連続形状であろうと不連続形状であろうと、リップが蓋装置の垂直軸線に対して傾斜され即ち直角でない状態で延在されていると考えられるのである。
　この干渉リップ３０が蓋の軸線に対して傾斜した形状であることから、蓋部材の取付けおよびとりはずしに際しては、干渉リップと容器固定リングＬとの間に非円形の係合状態が確立される。従って、蓋装置に発生する応力はその蓋装置の円周方向に関して均一ではない。
　取付けに際して、この非均一の応力分布が開栓バンド２０が丸み状態から逸脱した非円形の形状に変形する。即ち、ほぼ長円形もしくは楕円形に変形する。開栓バンドのこのような変形は容器に蓋装置を取付ける際に干渉リップが固定リングＬを簡単に越えて移動できるようになすのであり、これにより取付けに要する力を低減するとともに、破断可能なブリッジ２４に発生する応力を最少限に軽減するのである。蓋装置の取り外しに際しては、干渉リップ３０は再び容器固定リングＬと係合して非均一な応力を開栓バンド２０に発生させ、特に破断可能ブリッジ２４に破断を促進させる応力を発生させる。蓋装置の取り外しに際しては干渉リップ３０の蓋装置に於ける頂壁部１４に最も近い部分が先ず容器の固定リングＬと係合される。この結果、この最初に係合した箇所に局部応力が発生される。このようにして、ブリッジ２４の破断が促進されることになるのである。
　蓋装置取り外しに際してブリッジ２４を破断しないで干渉リップ３０が固定リングＬの上を滑ってしまうのを防止するために、開栓バンド２０が非円形な形状となってしまうのを予防する手段を備えることが望まれる。このために、複数の円周方向に間隔を隔てて配置された芯出しリブ２６が干渉リップ３０よりも上方位置にて開栓バンド２０の内面に備えられている。これらの芯出しリブ２６は蓋装置の取り外しに際して容器固定リングしに係合するように位置決めされており、これにより開栓バンドを円形形状に維持するのである。
　認識されるように、その他の適当な形態の芯出し手段を使用することができる。例えば、蓋装置の内側に連続したリングを備えたり、干渉リップの直ぐ上方位置に比較的縮径した内径を有する面積部分を備えることができる。本質的にはこのような芯出し手段は、干渉リップ３０が固定リングに係合して開栓バンドが非円形の形状となるのを防止し、これによりブリッジ２４の意図された破断を確実に行わせるようになすために備えられると考える。
　前述から、様々な変更および変形が本発明の精神および新規な範囲から逸脱しないで達成できることは認識できよう。特定の実施例に対して限定することが意図されていない、即ち、そのように推論されるべきであると理解されねばならない。この開示は特許請求の範囲の欄に記載した範囲に包含される全てのこのような変更を網羅するように意図されている。
【図面の簡単な説明】
　第１図は、組み合わされる容器に取付けられた本発明の基本を具現した開栓を明らかにするプラスチック蓋装置の特に横断面とした側面立面図。
　第２図は、この新規な開栓を明らかにする蓋装置の横断面図。
　第３図は、組み合わされる容器に対してこの新規な蓋装置を取付ける状態を示す特に横断面とした破断側面立面図。
　第４図は、組み合わされる容器に対して取付けられた後で、容器と第１の態様の干渉係合をする位置で蓋装置を示す第３図と同様な横断面とした破断側面立面図。
　第５図は、組み合わされる容器と第２の態様の干渉係合をする位置で蓋装置を示す第４図と同様な横断面とした破断側面立面図。
　第６ａ図および第６ｂ図は、組み合わされる容器に対して蓋装置が第２の態様の干渉係合を行うことを更に示す第５図と同様な横断面とした破断側面立面図。
　第７図は、本発明の開栓を明らかにするプラスチック蓋装置の他の実施例を示す破断横断面図。
　第８図は、本発明の開栓を明らかにするプラスチック蓋装置の更に他の実施例を示す第７図と同様な破断横断面図。
　第９図は、開栓を明らかにする蓋装置の更に他の実施例の破断側面立面図。
　第１０図は、第９図に示した蓋装置の横断面図。
　第１１図は、第１０図の線１１−１１に沿う破断横断面図。
　１０……蓋装置、１２……蓋キャップ、１４……頂壁部、
　１６……スカート部、１８……内ねじ部、２０……開栓バンド、
　２２……バンド部、２４，１２４……脆いリブ、２６……切り込み線、
　２８……柔軟タブ、３０……干渉ビード、１２７……切り込み線ビード、
　１２８……タブ。